(57)【要約】【課題】湿式施工を使用することなく簡単に不陸調整ができるコンクリートスラブにおける床下地材の設置方法を提供することである。【解決手段】コンクリートスラブにおける床下地材の設置方法は、側壁１１に際根太１２が設置されたコンクリートスラブ２の上面に床下地材１を設置し、該床下地材１の上面１４が際根太上面１４から突出したか否かによってコンクリートスラブ２の不陸を確認した後、床下地材１における際根太上面１３からの突出部１６をカットするとともに、該突出部１６をカットした床下地材１をコンクリートスラブ２に設置することである。【選択図】図１
2008075299.tif 000002
【特許請求の範囲】
【請求項１】
側壁に床レベルの墨出線が墨出しされたコンクリートスラブの上面に発泡樹脂製の床下地材を設置し、該床下地材の上面が床レベルの墨出線から突出したか否かによってコンクリートスラブの不陸を確認した後、床下地材における床レベルの墨出線からの突出部をカットするとともに、該突出部をカットした床下地材をコンクリートスラブに設置することを特徴とするコンクリートスラブにおける床下地材の設置方法。
【請求項２】
突出部をカットした床下地材はパッキンを介してコンクリートスラブに設置することを特徴とする請求項１に記載のコンクリートスラブにおける床下地材の設置方法。
【請求項３】
突出部をカットした床下地材は接着剤またはコンクリートビスによってコンクリートスラブに固定することを特徴とする請求項１または２に記載のコンクリートスラブにおける床下地材の設置方法。
【発明の詳細な説明】
【技術分野】
【０００１】
本願発明はコンクリートスラブにおける床下地材の設置方法に関するものである。
【背景技術】
【０００２】
鉄筋コンクリート造の集合住宅における二重床は、図１０に示すように、コンクリートスラブ２３に発泡樹脂製の床下地材２４を密接状に設置し、これら床下地材２４の上に仕上げ材２５を敷き詰めて構築している。このコンクリートスラブ２３への床下地材２４の施工には、モルタルなどの不陸調整材２６が使用されている。このモルタルなどの不陸調整材２６を使用する施工は湿式であるため、最低でも翌日までの養生時間（１６時間）を必要としている。またコンクリートスラブにおける床下地材の設置方法としては、例えば特開２００６−４５８８７号公報の発明が知られている。
【特許文献１】特開平２００６−４５８８７号公報
【発明の開示】
【発明が解決しようとする課題】
【０００３】
しかし、上記のコンクリートスラブへの床下地材の施工においてモルタルなどの湿式施工を行うと周囲が汚れる恐れがあるため、この施工ができない箇所があった。
【０００４】
本願発明はこれらの問題に鑑みてなされたものであり、その目的は、湿式施工を行わずに不陸調整が簡単にできるコンクリートスラブにおける床下地材の設置方法を提供することである。
【課題を解決するための手段】
【０００５】
以上の課題を解決するためのコンクリートスラブにおける床下地材の設置方法は、側壁に床レベルの墨出線が墨出しされたコンクリートスラブの上面に発泡樹脂製の床下地材を設置し、該床下地材の上面が床レベルの墨出線から突出したか否かによってコンクリートスラブの不陸を確認した後、床下地材における床レベルの墨出線からの突出部をカットするとともに、該突出部をカットした床下地材をコンクリートスラブに設置することを特徴とする。また突出部をカットした床下地材はパッキンを介してコンクリートスラブに設置することを含む。また突出部をカットした床下地材は接着剤またはコンクリートビスによってコンクリートスラブに固定することを含むものである。
【発明の効果】
【０００６】
コンクリートスラブの上面に床下地材を設置し、該床下地材の上面が床レベルの墨出線から突出したか否かによってコンクリートスラブの不陸を確認した後、床下地材における床レベルの墨出線からの突出部をカットするとともに、該突出部をカットした床下地材をコンクリートスラブに設置することにより、モルタルなどの不陸調整材を使用しなくともコンクリートスラブの不陸を簡単に調整して床下地材をコンクリートスラブに設置することができる。またコンクリートスラブの上面に床下地材を設置し、該床下地材の上面が床レベルの墨出線から突出したか否かによってコンクリートスラブの不陸を正確に確認することができるとともに、その突出部をカットすることにより不陸の調整が簡単にできる。
【発明を実施するための最良の形態】
【０００７】
以下、本願発明のコンクリートスラブにおける床下地材の設置方法（以下、床下地材の設置方法という）の実施の形態について説明する。
【０００８】
この床下地材１はポリスチレン系樹脂などの発泡樹脂で平面四角形に形成された複合体であり、図１に示すように、鉄筋コンクリート造の共同住宅のコンクリートスラブ２の上面に設置することにより、いわゆる二重床３を構築するものである。この図における二重床３は床下地材１の上に畳４を敷き詰めた和室用のものであるが、この畳４に代わって仕上げ板を敷き詰めることもできる。
【０００９】
この床下地材１の設置方法は不陸調整材としてのモルタルを使用しない、いわゆる乾式方法であり、コンクリートスラブ２の不陸調整は床下地材の下面５をスライスカットすることにより行う。
【００１０】
この床下地材の下面５のスライスカットには、図２に示すような、スライスカット装置６が使用される。このスライスカット装置６はスライド板７とスライスカット線８とから構成され、このスライド板７の上面にはガイド板９が設置され、このガイド板９に沿って床下地材１がスライド板７を真っ直ぐにスライドできるようになっている。
【００１１】
一方、スライスカット線８はニクロム線であり、電気を流すことにより熱せられるために発泡樹脂製の床下地材の下面５をスライスカットすることができる。このスライスカット線８はスライド板７を横切るようにして、スライド板７の両側に立設したポール１０間に張られ、このボール１０に沿ってを上下動することによりスライド板７からの高さの調整ができるようになっている。
【００１２】
次に、床下地材の設置方法を図３〜図９に基づいて説明する。この床下地材１を設置するのは、例えば鉄筋コンクリート造の共同住宅の各住戸におけるコンクリートスラブ２であり、側壁１１に床レベルの墨出線に沿った際根太１２が設置され、この上面１３が床レベルの基準となっている。したがって、床下地材上面１４が際根太上面１３と同一面になるように床下地材１をコンクリートスラブ２の上面に設置するものである。
【００１３】
まず、図３に示すように、コンクリートスラブ２の上面に床下地材１を設置し、該床下地材上面１４が際根太上面１３から突出したか否かによってコンクリートスラブ２の不陸を確認する。この図においては、床下地材１の左側が際根太上面１３から突出しているため、左側がコンクリートスラブ２の基準レベル１５よりも盛り上がって不陸になっていることがわかる。この状態で床下地材１を設置すると、床下地材１の左側が際根太上面１３から突出するため、この突出部１６をカットする必要がある。
【００１４】
そこでコンクリートスラブ２のＡ点とＢ点とにおける高さ、すなわちこれらにおけるコンクリートスラブ２の上面から際根太上面１３における高さを測定して、床下地材の下面５のカットすべき厚さを決める。
【００１５】
次に、図４に示すように、上記の高さに応じてスライスカット装置６のスライスカット線８を上下動させてａ点とｂ点における高さを上記のＡ点とＢ点における高さと同じにする。この場合、床下地材１は下面５をスライスカットするため、Ａ点の高さがｂ点における高さとなり、Ｂ点の高さがａ点における高さとなる。
【００１６】
そして、床下地材１をひっくり返して下面５を上に向けてスライスカット装置６のスライド板７に載せる。このときには床下地材の下面５のカットされる厚さは決まっているため、床下地材１をガイド板９に沿ってスライドさせると、スライスカット線８によって、床下地材の下面５がスライスカットされる。このカットされた部分は、図３において、際根太上面１３から突出した突出部１６、すなわちコンクリートスラブ２の基準レベル１５よりも盛り上がった部分１７に相当する部分である。
【００１７】
次に、図５に示すように、この突出部１６がカットされた床下地材１を、カットした箇所をコンクリートスラブの盛り上がった部分１７に合わせるようにして設置すると、不陸が調整されて床下地材上面１４と際根太上面１３とが同一面になって、床レベルが均一になる。この床下地材１は下面５に塗布した接着剤１８によってコンクリートスラブ２に固定するが、図６に示すように、コンクリートビス１９でも固定することができる。
【００１８】
また上記は床下地材１の短辺方向に沿った不陸、すなわち床下地材の下面５を短辺方向に沿ってスライスカットすることにより不陸調整をしたが、床下地材１の長辺方向に沿った不陸を調整する場合も、図７に示すように、床下地材の下面５を長辺方向に沿ってスライスカットすることによって行うものとする。
【００１９】
また上記の他に、床下地材１の短辺方向と長辺方向とが組み合わさった方向の不陸調整が必要な場合は、両方向の不陸調整を組み合わせて行うものとする。これらの組み合わせによる床下地材の下面５のスライスカットにより、不陸調整に必要な厚さよりも厚くカットした場合は、図８に示すように、パッキン２０を介してそのカット分の高さを調整する。すなわち、上記のスライスカットによって床レベルから下がり過ぎた部分はパッキン２０を介在させることによって床下地材上面１４と際根太上面１３とを同一面にしてレベルを均一にする。
【００２０】
また、図９に示すように、極端な段差の不陸の場合は、凹部２１に乾式不陸調整材２２を充填して調整する。この場合も床下地材１は下面５に塗布した接着剤１８、またはコンクリートビス１９で固定するものとする。
【００２１】
なお、上記の実施の形態において、床レベルの基準を際根太の上面にしたが、これに限らず、床レベルの墨出線、またはこの墨出線に沿って設置したものを床レベルの基準にすることもできる。
【図面の簡単な説明】
【００２２】
【図１】コンクリートスラブに床下地材を設置した二重床の断面図である。
【図２】スライスカット装置の斜視図である。
【図３】床下地材の設置方法であり、（１）はコンクリートスラブに床下地材を設置した断面図、（２）は床下地材の平面図である。
【図４】床下地材を載せたスライスカット装置の正面図である。
【図５】カットした床下地材をコンクリートスラブに設置した断面図である。
【図６】床下地材をコンクリートビスでコンクリートスラブに固定した断面図である。
【図７】床下地材を載せたスライスカット装置の正面図である。
【図８】床下地材をパッキンを介在させてコンクリートスラブに設置した断面図である。
【図９】大きな段差の不陸調整をした二重床の断面図である。
【図１０】従来の床下地材の設置方法の断面図である。
【符号の説明】
【００２３】
１、２４  床下地材
２、２３  コンクリートスラブ
３  二重床
４  畳
５  床下地材の下面
６  スライスカット装置
７  スライド板
８  スライスカット線
９  ガイド板
１０  ポール
１１  側壁
１２  際根太
１３  際根太上面
１４  床下地材上面
１５  基準レベル
１６  突出部
１７  盛り上がった部分
１８  接着剤
１９  コンクリートビス
２０  パッキン
２１  凹部
２２  乾式不陸調整材
２５  仕上げ板
２６  不陸調整材
【図１】
2008075299.tif 000003
【図２】
2008075299.tif 000004
【図３】
2008075299.tif 000005
【図４】
2008075299.tif 000006
【図５】
2008075299.tif 000007
【図６】
2008075299.tif 000008
【図７】
2008075299.tif 000009
【図８】
2008075299.tif 000010
【図９】
2008075299.tif 000011
【図１０】
2008075299.tif 000012